(57)【要約】【課題】焼付き防止の為の画面移動処理において、１画素以下の画面移動を行う際、画面周辺に表示される時刻等高輝度固定文字の移動に伴う不自然さを緩和する。【解決手段】入力画像信号とＥＬディスプレイの画像表示位置と画面移動の為の内挿係数に応じたゲイン発生手段３と、入力信号に対し画面移動の為の内挿係数に応じた内挿処理を行う信号内挿手段１と、信号内挿手段１の出力信号に対しゲイン発生手段３の出力に基づいた帯域制限を行うための帯域制限手段２とＥＬディスプレイ４から構成される。このときゲイン発生手段３は、ＥＬディスプレイの画面周辺に表示される輝度の高い入力信号に対してのみ内挿係数に応じた帯域制限を実施するようなゲインを出力し、そのゲインに基づいて、帯域制限はいかなる内挿係数においてもＥＬディスプレイに出力される帯域が概ね等しくなるよう、信号内挿手段１による帯域制限を補償する。【選択図】図１
2006243436.tif 000002
【特許請求の範囲】
【請求項１】
ディスプレイと、
入力画像信号と前記ディスプレイの画像表示位置と画面表示移動を１画素以内で行うための内挿係数に応じたゲイン発生手段と、
前記入力画像信号に対し前記内挿係数に応じた内挿処理を行うための信号内挿手段と、前記ゲイン発生手段から出力されるゲインに応じて前記信号内挿手段の出力信号に帯域の制限を行う帯域制限手段とを有し、
前記ゲイン発生手段は、入力信号の輝度が所定の値より低い場合若しくは画面中央から所定の範囲においては、前記帯域制御手段が帯域を制限しないゲインを出力し、入力信号の輝度が所定の値より高く且つ画面端から所定の範囲においては、前記帯域制限手段が前記内挿係数に応じた帯域制限を行うためのゲインを出力するものであり、
前記帯域制限手段による帯域制限は、前記内挿係数がいかなる場合においても、前記ディスプレイに出力される信号帯域が概ね等しくなるように、前記内挿係数により前記信号内挿手段での帯域制限が少ない場合は、前記帯域制限手段による帯域制限が大きくなるように前記ゲイン発生手段のゲインを制御し、前記内挿係数により前記信号内挿手段での帯域制限が大きい場合は、前記帯域制限手段による帯域制限が小さくなるように前記ゲイン発生手段のゲインを制御するディスプレイ表示装置。
【請求項２】
ディスプレイと、
入力画像信号と前記ディスプレイの画像表示位置に応じたゲイン発生手段と、
前記入力画像信号に対し前記ゲイン発生手段の出力ゲインに応じた輪郭補正を行う輪郭補正手段とを有し、
前記ゲイン発生手段は、入力信号の輝度が所定の値より低い場合若しくは画面中央から所定の範囲においては、前記輪郭補正手段が通常の輪郭補正を行うための出力ゲインを出力し、入力信号の輝度が所定の値より高く且つ画面端から所定の範囲付近においては、前記輪郭補正手段の輪郭補正を弱めるようなゲインを発生するディスプレイ表示装置。
【請求項３】
ディスプレイと、
入力画像信号と前記ディスプレイの画像表示位置に応じたクリップレベル発生手段と、
前記入力画像信号に対し前記クリップレベル発生手段の出力ゲインに応じ輪郭補正信号のクリップを行う輪郭補正手段とを有し、
前記クリップレベル発生手段は、入力信号の輝度が所定の値より低い場合若しくは画面中央から所定の範囲においては、前記輪郭補正手段の輪郭補正信号にクリップを実施しないような制御信号を出力し、入力信号の輝度が所定の値より高く且つ画面端から所定の範囲においては、前記輪郭補正手段の輪郭補正の輝度の高い輪郭補正信号をクリップするよう制御信号を出力するディスプレイ表示装置。
【請求項４】
画面中央から所定の範囲は、画面中央から画面端の距離の概５０％〜７０％であり、前記画面端から所定の範囲は、０％〜３０％であることを特徴とする請求項１〜３のいずれかに記載のディスプレイ装置。
【請求項５】
前記入力画像信号が、レターボックス等、画面上下に黒の信号を含む場合、画面端から所定の範囲を前記黒の信号を除いた部分とし、前記黒の部分を除いて制御をかけることを特徴とする請求項１〜４のいずれかに記載のディスプレイ装置。
【請求項６】
前記入力画像信号が、サイドブラック等、画面左右に黒の信号を含む場合、画面端から所定の範囲を前記黒の信号を除いた部分とし、前記黒の部分を除いて制御をかけることを特徴とする請求項１〜４のいずれかに記載のディスプレイ装置。
【発明の詳細な説明】
【技術分野】
【０００１】
本発明は、入力画像信号に応じた画像を表示するディスプレイの表示装置、特にＥＬディスプレイの表示装置に関するものである。
【背景技術】
【０００２】
ＥＬディスプレイは自己発光表示装置であるため、視野角が広く、応答速度が速い。また、バックライトが不要であるため、薄型軽量化が可能である。これらの理由から、近年、ＥＬディスプレイは、液晶表示装置に代わるフラットディスプレイとして注目されている。
【０００３】
しかしながら、ＥＬディスプレイにおいては、ＥＬ素子の発光特性が発光時間の経過に伴って劣化し、同じ入力電流によって得られる輝度が徐々に低下する。このため、例えば画面の一定位置に同一の表示がなされる場合には、特定の画素の発光頻度のみが高くなるため、これらの画素は他の画素に比べて発光特性が著しく劣化し、焼付きが発生する問題がある。
【０００４】
この問題に対しては、特許文献１に示すように、画素を人間の目に識別できないよう、例えば１／６４画素毎に少しずつ動かし、焼付きのエッジを急峻にしないようにすることで改善が可能である。一方、焼付きの改善を目的としたものではないが、特許文献２に示されるように、画面の中心と周辺で入力信号に対するゲインを変えることにより焼付の改善を図ることが可能である。
【０００５】
図１８は、従来のＥＬディスプレイ装置の構成を示すブロック図である。
【０００６】
図１８に示すＥＬディスプレイ装置は、信号内挿手段１、ＥＬディスプレイ４を備える。
信号内挿手段１は、入力画像信号に対し内挿係数に応じた内挿処理を行う。この内挿係数を表示時間経過に応じて非常に細かいステップで変更することにより、人間の目に識別できないよう入力画像信号の表示をＥＬディスプレイ４上で移動することが可能である。
尚、今回、１画素の単位で１画素以上移動する構成については記載していないが、これはＥＬディスプレイ４に供給されるクロックによるＤフリップフロップ等の遅延回路により実現可能なことは明らかであり、これに信号内挿手段１を付加することで１画素以上の移動も可能である。このように入力画像を移動させ、焼付きのエッジをぼかすことで焼付きを緩和することが可能である。
【特許文献１】特開２００４―２６４３６６号公報
【特許文献２】特開２００２−０７２９５１号公報
【発明の開示】
【発明が解決しようとする課題】
【０００７】
しかしながら、上記の処理においては、焼付き防止の為の画面移動処理において、１画素以下の画面移動を行う際、信号内挿手段１０１の内挿係数の差による周波数帯域の差が発生する。この周波数帯域の差は、通常の画像信号では目立ち難いが、時刻等の高輝度固定表示においては目立ち易い。図１９に、従来の実施例において高輝度信号が入力された場合におけるＥＬディスプレイ装置の動作を示す概念図を、また図２０に、従来の実施例において低輝度信号が入力された場合におけるＥＬディスプレイ装置の動作を示す概念図を示す。図から明らかなように内挿係数の差による周波数帯域の差が、画像の先鋭度の差として表れる。
【０００８】
本発明の目的は、このような焼付き防止の為の画面移動処理において、１画素以下の画面移動を行う際、画面端から所定の範囲に表示される時刻等高輝度固定文字の移動に伴う不自然さを緩和することであり、更に通常の画像信号には影響を与えることなく、画面端から所定の範囲に表示される高輝度固定文字の焼付改善効果を、画面移動の時間周期を長くしたり、移動距離を短くした場合においても維持することである。
【課題を解決するための手段】
【０００９】
上記課題を解決するため、第1の発明は、
ディスプレイと、入力画像信号と前記ディスプレイの画像表示位置と画面表示移動を１画素以内で行うための内挿係数に応じたゲイン発生手段と、前記入力画像信号に対し前記内挿係数に応じた内挿処理を行うための信号内挿手段と、前記ゲイン発生手段から出力されるゲインに応じて前記信号内挿手段の出力信号に帯域の制限を行う帯域制限手段とを有し、前記ゲイン発生手段は、入力信号の輝度が所定の値より低い場合若しくは画面中央から所定の範囲においては、前記帯域制御手段が帯域を制限しないゲインを出力し、入力信号の輝度が所定の値より高く且つ画面端から所定の範囲においては、前記帯域制限手段が前記内挿係数に応じた帯域制限を行うためのゲインを出力するものであり、前記帯域制限手段による帯域制限は、前記内挿係数がいかなる場合においても、前記ディスプレイに出力される信号帯域が概ね等しくなるように、前記内挿係数により前記信号内挿手段での帯域制限が少ない場合は、前記帯域制限手段による帯域制限が大きくなるように前記ゲイン発生手段のゲインを制御し、前記内挿係数により前記信号内挿手段での帯域制限が大きい場合は、前記帯域制限手段による帯域制限が小さくなるように前記ゲイン発生手段のゲインを制御するディスプレイ表示装置であり、
焼付き防止の為の画面移動処理において、１画素以下の画面移動を行う際、画面端から所定の範囲に表示される高輝度固定文字の移動に伴う不自然さを緩和することを特徴とするディスプレイ表示装置である。
第２の発明は、
ディスプレイと、入力画像信号と前記ディスプレイの画像表示位置に応じたゲイン発生手段と、前記入力画像信号に対し前記ゲイン発生手段の出力ゲインに応じた輪郭補正を行う輪郭補正手段とを有し、前記ゲイン発生手段は、入力信号の輝度が所定の値より低い場合若しくは画面中央から所定の範囲においては、前記輪郭補正手段が通常の輪郭補正を行うための出力ゲインを出力し、入力信号の輝度が所定の値より高く且つ画面端から所定の範囲付近においては、前記輪郭補正手段の輪郭補正を弱めるようなゲインを発生するディスプレイ表示装置であり、
このように、画面端から所定の範囲の輝度が高い部分のみ輪郭補正を弱めることで、画面端から所定の範囲に表示される高輝度固定文字の焼付きを改善する一方、前記画面端から所定の範囲に表示される高輝度固定文字以外の信号に対しては影響を及ぼさないことを特徴とするディスプレイ表示装置である。
第３の発明は、
ディスプレイと、入力画像信号と前記ディスプレイの画像表示位置に応じたクリップレベル発生手段と、前記入力画像信号に対し前記クリップレベル発生手段の出力ゲインに応じ輪郭補正信号のクリップを行う輪郭補正手段とを有し、前記クリップレベル発生手段は、入力信号の輝度が所定の値より低い場合若しくは画面中央から所定の範囲においては、前記輪郭補正手段の輪郭補正信号にクリップを実施しないような制御信号を出力し、入力信号の輝度が所定の値より高く且つ画面端から所定の範囲においては、前記輪郭補正手段の輪郭補正の輝度の高い輪郭補正信号をクリップするよう制御信号を出力するディスプレイ表示装置であり、
このように、画面端から所定の範囲の輝度が高い部分のみ輪郭補正の輝度の高い側のクリップを実施することで、画面端から所定の範囲に表示される高輝度固定文字の焼付きを改善する一方、前記画面端から所定の範囲に表示される高輝度固定文字以外の信号に対しては影響を及ぼさないことを特徴とするディスプレイ表示装置である。
第４の発明は、
前記画面中央から所定の範囲は、画面中央から画面端の距離の概５０％〜７０％であり、前記画面端から所定の範囲は、０％〜３０％であることを特徴とする第１〜第３の発明のディスプレイ装置である。
第５の発明は、
前記入力画像信号が、レターボックス等、画面上下に黒の信号を含む場合、画面端から所定の範囲を前記黒の信号を除いた部分とし、前記黒の部分を除いて制御をかけることを特徴とする第１〜第４の発明のディスプレイ装置である。
第６の発明は、
前記入力画像信号が、サイドブラック等、画面左右に黒の信号を含む場合、画面端から所定の範囲を前記黒の信号を除いた部分とし、前記黒の部分を除いて制御をかけることを特徴とする第１〜第４の発明のディスプレイ装置である。
【発明の効果】
【００１０】
以上により、画面端から所定の範囲に表示される時刻等高輝度固定文字の焼付きを、これ以外の画像に対する影響を可能な限り少なくし、実現することが可能になる。
【発明を実施するための最良の形態】
【００１１】
以下、本発明に係るディスプレイ装置について説明する。
（実施例１）
図１は、本発明の第１の実施例によるＥＬディスプレイ装置の構成を示すブロック図である。
【００１２】
図１に示すＥＬディスプレイ装置は、信号内挿手段１、帯域制限手段２、ゲイン発生手段３、ＥＬディスプレイ４を備える。
【００１３】
ゲイン発生手段３からは、入力画像信号と、前記ＥＬディスプレイの画像表示位置と、画面表示移動を１画素以内で行うための内挿係数に応じたゲインが発生される。信号内挿手段１は、入力画像信号に対し内挿係数に応じた内挿処理を行う。帯域制限手段２は、ゲイン発生手段３から出力されるゲインに応じて信号内挿手段１の出力信号に帯域の制限を行う。
【００１４】
図２に、本発明の第１の実施例における信号内挿手段１の構成例を示すブロック図を示す。信号内挿手段１は、１クロック分のデータを遅延する遅延手段１と、入力信号と遅延手段１の２出力各々に内挿係数を乗ずるための乗算器６と、乗算器６の２つの出力を加算する加算器７から構成され、１画素以内の内挿処理を行う。その結果、内挿係数に応じて帯域制限が生じる。尚、信号内挿手段は他にも多数の回路構成が存在するが、本発明において信号内挿手段１の構成は問わない。
【００１５】
図３に、本発明の第１の実施例における帯域制限手段１の構成例を示すブロック図を示す。帯域制限手段１は、帯域を制限するＬＰＦ８と入力信号とＬＰＦ８の２出力各々にゲインを乗ずるための乗算器６と、乗算器６の２つの出力を加算する加算器７から構成され、入力のゲインが小さい程、帯域制限度合いは増加する。
【００１６】
図４は本発明の第１の実施例によるＥＬディスプレイ装置のゲイン発生手段３の出力ゲインを示す概念図である。
【００１７】
図４（ａ）（ｂ）に示すように、ゲイン発生手段３のゲインは、入力画像信号の輝度、ＥＬディスプレイ４における表示位置、内挿係数の３つのパラメータによって異なる値を出力する。まず、入力信号の輝度が低い場合、ゲイン発生手段３は、他の２つのパラメータに関係なく、帯域制限手段２が帯域制限を行わないゲイン（ここでは×１とする）を発生する。同様に、ＥＬディスプレイ４における表示位置が画面中央から所定の範囲付近の場合も、ゲイン発生手段３は、他の２つのパラメータに関係なく、帯域制限手段２が帯域制限を行わないゲインを発生する。
【００１８】
一方、入力輝度が高く、且つ、ＥＬディスプレイ４における表示位置が画面端の場合、ゲイン発生手段３は、内挿係数に応じたゲインを発生する。ここで、内挿係数が０．５に近く、信号内挿手段１による帯域制限の影響が発生する場合、ゲイン発生手段３は、帯域制限手段２の帯域制限を行わない、若しくは、比較的少ない帯域制限を行う為のゲインを発生させる。一方、内挿係数が０または１に近く、信号内挿手段１による帯域制限の影響が少ない場合、ゲイン発生手段３は、帯域制限手段２によって内挿係数が０．５の場合に信号内挿手段によって発生する帯域制限よりも大きな帯域制限を行う為のゲインを発生させる。
【００１９】
図５は本発明の第１の実施例によるＥＬディスプレイ装置の画面端における出力信号帯域を示す概念図である。
図５に示すように、輝度が高く、ＥＬディスプレイ４における表示位置が画面端の場合においては、ゲイン発生手段３から出力されるゲインにより、内挿係数が変化しても、ＥＬディスプレイの入力信号帯域がなるべく変化しないよう帯域制限手段２の処理を実施する。
【００２０】
図６は、本発明の第１の実施例において高輝度信号が入力された場合におけるＥＬディスプレイ装置の表示動作を示す概念図であり、図７は、本発明の第１の実施例において低輝度信号が入力された場合におけるＥＬディスプレイ装置の表示動作を示す概念図である。図７に示すように、入力画像信号の輝度が低い場合は、入力画像信号に信号内挿手段１による内挿係数に応じた帯域制限のみがかかり、ＥＬディスプレイ４に入力される。この場合、内挿係数に応じた帯域制限がかかるが、この領域に、ナイキスト周波数を超えるような信号は存在する可能性が低く、実際の画像において、この内挿係数に応じた帯域制限の影響が発生する可能性は低い。
【００２１】
一方、図６に示すように、入力画像信号の輝度が高い場合は、画面端の信号のみにおいて、入力画像信号に信号内挿手段１による最も大きな帯域制限以上の帯域制限がかかり、且ついかなる内挿係数においても帯域が等しくなるため、図６（ｃ）、（ｄ）に示すように、移動の為、内挿係数が変化しても違和感を生じない。
【００２２】
ここで、高輝度の画面端の信号の帯域制限を大きくとれば、移動が無い場合においても焼付きのエッジをボカスことが可能であり、図８に示すように焼付きの改善を図ることが可能である。ここで、実際には、移動のスピードを違和感の影響を排除する為、十分遅くする必要がある場合や、画面の表示率の関係で移動の距離を大きくとれない場合もあるが、その場合においても焼付きを改善することが可能である。
【００２３】
また、前記画面中央から所定の範囲とは、解像感と一般的な前記入力画像信号における本領域の高輝度固定文字の有無を鑑みて、画面中央から画面端の距離の概５０％〜７０％とし、前記画面端から所定の範囲は、一般的な前記入力画像信号における本領域の高輝度固定文字の有無を鑑み０％〜３０％とすることで、焼付き改善と解像感の改善が最も有効に図られる。
【００２４】
また、レターＢＯＸ表示等上下に黒が表示される場合においては、レターＢＯＸ処理前の入力信号では画面端から所定の範囲に存在する高輝度固定文字等が、ディスプレイ上では、従来よりも画面の中心に近い領域に表示され、前述の焼付き改善効果が低減する。このため、このようなレターＢＯＸ表示における黒表示部分以外の表示領域を前記ＥＬディスプレイの表示エリアとして、本発明の制御を実施することにより、レターＢＯＸ表示においても焼付きの改善が可能になる。ここで、画面の左右に黒が表示されるサイドブラック検出に置き換えた場合も同様である。
【００２５】
このように、入力画像信号の輝度と、前記ＥＬディスプレイの画像表示位置と、画面表示移動を１画素以内で行うための内挿係数に応じた帯域制限処理を実施することにより、焼付き防止の為の画面移動処理において、１画素以下の画面移動を行う際、画面端から所定の範囲に表示される時刻等高輝度固定文字の移動に伴う不自然さを緩和し、更に通常の画像信号には影響を与えることなく、画面端から所定の範囲に表示される高輝度固定文字の焼付改善効果を、画面移動の時間周期を長くしたり、移動距離を短くした場合においても維持することが可能となる。
【００２６】
（実施例２）
図９は、本発明の第２の実施例によるＥＬディスプレイ装置の構成を示すブロック図である。
【００２７】
図９に示すＥＬディスプレイ装置は、ゲイン発生手段１１、輪郭補正手段１２、ＥＬディスプレイ４を備える。
【００２８】
ゲイン発生手段１１からは、入力画像信号と、前記ＥＬディスプレイの画像表示位置に応じたゲインが発生される。輪郭補正手段１２は、ゲイン発生手段１１から出力されるゲインに応じて、入力画像信号に対し輪郭補正をおこなう。
【００２９】
図１０、１１は本発明の第２の実施例によるＥＬディスプレイ装置のゲイン発生手段１１の出力ゲインを示す概念図である。
図１０、１１に示すように、ゲイン発生手段１１のゲインは、入力画像信号の輝度、ＥＬディスプレイ４における表示位置によって
異なる値を発生する。まず、入力信号の輝度が低い場合には、ゲイン発生手段１１は、図１０の破線に示すように、ＥＬディスプレイ４における表示位置によらず、通常のゲインを発生し、通常の輪郭補正が実施される。一方、入力信号の輝度が高い場合には、ゲイン発生手段１１は、図１０に示すように画面中央から所定の範囲では、通常のゲインを発生し、通常の輪郭補正を実施する一方で、画面周辺になるほど出力のゲインを低下せしめ、画面端から所定の範囲では、通常より小さいゲインを発生することにより、輪郭補正を弱める。図１１は、画面端から所定の範囲における入力画像信号の輝度とゲイン発生手段１１の出力ゲインの相関を示す概念図の例を示したものであり、このように入力画像信号の輝度に応じて、連続的にゲイン発生手段１１の出力ゲインを制御する。
【００３０】
尚、図１０、図１１の例では、画面端から所定の範囲において高輝度な入力画像信号が入力された場合の、ゲイン発生手段１１の出力ゲインを０として記載しているが、例えば焼付きや解像感を鑑みて１／２程度とすることも同様に可能である。
【００３１】
図１２に本発明の第２の実施例において入力信号が高輝度の場合のＥＬディスプレイ装置の動作を示す概念図を、また図１３に本発明の第２の実施例において入力信号が低輝度の場合のＥＬディスプレイ装置の動作を示す概念図を示す。図１２、図１３から明らかなように、入力信号が高輝度の場合で且つ画面端から所定の範囲の信号のみに、入力画像信号同様輪郭補正がかからない。
【００３２】
図１４に本発明の第２の実施例における画面端から所定の範囲の焼付けの概念を示すが、本発明の第２の実施例の処理を実施することで、図１４（ｂ）のようなエッジの急峻な焼付きが、図１４（ａ）のようなエッジの緩やかな焼付きに改善され、人間の目に目立ち難くなる。
【００３３】
このように、画面端から所定の範囲の輝度が高い部分のみ輪郭補正を弱めることで、画面中央から所定の範囲に表示される信号や、前記画面端から所定の範囲に表示される高輝度固定文字以外の信号に対しては影響を及ぼすことなく、画面端から所定の範囲に表示される高輝度固定文字の焼付きを改善することが可能になる。
（実施例３）
図１５は、本発明の第３の実施例によるＥＬディスプレイ装置の構成を示すブロック図である。
【００３４】
図１５に示すＥＬディスプレイ装置は、クリップレベル発生手段２１、輪郭補正手段１２、ＥＬディスプレイ４を備える。
【００３５】
ゲイン発生手段２１からは、入力画像信号と、前記ＥＬディスプレイの画像表示位置に応じたクリップレベルが発生される。輪郭補正手段１２は、クリップレベル発生手段２１から出力されるクリップレベルに応じて、入力画像信号に対し輪郭補正のクリップをおこなう。
【００３６】
図１６は本発明の第３の実施例によるＥＬディスプレイ装置のクリップレベル発生手段２１１のクリップレベルを示す概念図である。図１６に示すように、クリップレベル１１のクリップレベルは、入力画像信号の輝度、ＥＬディスプレイ４における表示位置によって異なる値を発生する。まず、入力信号の輝度が低い場合には、クリップレベル発生手段２１は、ＥＬディスプレイ４における表示位置によらず、クリップレベルを発生せず、通常の輪郭補正が実施される。一方、入力信号の輝度が高い場合には、クリップレベル発生手段１１は、図１６に示すように画面中央から所定の範囲では、通常と同様クリップのかからないような高いレベルのクリップレベルの信号を発生し、通常の輪郭補正を実施する一方で、画面周辺になるほど出力のクリップレベルを低下せしめ、画面端から所定の範囲では、通常より低いクリップレベルを発生することにより、正側の輪郭補正を弱める。
【００３７】
図１７に本発明の第３の実施例おける動作波形の概念図を示すが、画面端においては、図１７（ｂ）のように高輝度側の輪郭補正信号のみがクリップされる。ここで、ＥＬディスプレイの寿命劣化は、輝度が高ければ高いほど、その劣化が著しくなるため、高輝度側の輪郭補正信号をクリップすることで、寿命劣化が改善され、焼付きが緩和される。
【００３８】
このように、画面端から所定の範囲の輝度が高い部分のみ輪郭補正の輝度の高い側のクリップを実施することで、前記画面端から所定の範囲に表示される高輝度固定文字以外の信号に対しては影響を及ぼすことなく、画面端から所定の範囲に表示される高輝度固定文字の焼付きを改善することが可能になる。
【００３９】
なお、上記の各実施例においては、本発明をＥＬディスプレイ表示装置に適用した場合について説明したが、同様の表示特性を有する他のディスプレイ表示装置についても、当然適用可能である。
【産業上の利用可能性】
【００４０】
本発明は入力画像信号に応じた画像を表示するディスプレイ表示装置、特にＥＬディスプレイ表示装置に有用である。
【図面の簡単な説明】
【００４１】
【図１】本発明の第１の実施例によるＥＬディスプレイ装置の動作を示す概念図
【図２】本発明の第１の実施例における信号内挿手段の構成を示すブロック図
【図３】本発明の第１の実施例における帯域制限手段の構成を示すブロック図
【図４】本発明の第１の実施例によるＥＬディスプレイ装置のゲイン発生手段の出力ゲインを示す概念図
【図５】本発明の第１の実施例によるＥＬディスプレイ装置の画面端における信号帯域を示す概念図
【図６】本発明の第1の実施例において高輝度信号が入力された場合におけるＥＬディスプレイ装置の動作を示す概念図
【図７】本発明の第1の実施例において低輝度信号が入力された場合におけるＥＬディスプレイ装置の動作を示す概念図
【図８】本発明の第１の実施例によるＥＬディスプレイ装置における焼付きを示す概念図
【図９】本発明の第２の実施例によるＥＬディスプレイ装置の構成を示すブロック図
【図１０】本発明の第２の実施例におけるゲイン発生手段の出力ゲインを示す概念図
【図１１】本発明の第２の実施例における画面端でのゲイン発生手段の出力ゲインを示す概念図
【図１２】本発明の第２の実施例において入力信号が高輝度の場合のＥＬディスプレイ装置の動作を示す概念図
【図１３】本発明の第２の実施例において入力信号が低輝度の場合のＥＬディスプレイ装置の動作を示す概念図
【図１４】第２の実施例の画面端における焼付を示す概念図
【図１５】本発明の第３の実施例におけるＥＬディスプレイ装置の構成を示すブロック図
【図１６】本発明の第３の実施例におけるクリップレベル発生手段の出力を示す概念図
【図１７】本発明の第４の実施例におけるＥＬディスプレイ装置の動作を示す概念図
【図１８】従来のＥＬディスプレイ装置の構成を示すブロック図
【図１９】従来の実施例において高輝度信号が入力された場合におけるＥＬディスプレイ装置の動作を示す概念図
【図２０】従来の実施例において低輝度信号が入力された場合におけるＥＬディスプレイ装置の動作を示す概念図
【符号の説明】
【００４２】
１    信号内挿手段
２    帯域制限手段
３    ゲイン発生手段
４    ＥＬディスプレイ
５    遅延手段
６    乗算器
７    加算器
８    ＬＰＦ
９    集積回路
１１    ゲイン発生手段（第２の実施例）
１２    輪郭補正手段
２１    クリップレベル発生手段
２２    輪郭補正手段（第３の実施例）
【図１】
2006243436.tif 000003
【図２】
2006243436.tif 000004
【図３】
2006243436.tif 000005
【図４】
2006243436.tif 000006
【図５】
2006243436.tif 000007
【図６】
2006243436.tif 000008
【図７】
2006243436.tif 000009
【図８】
2006243436.tif 000010
【図９】
2006243436.tif 000011
【図１０】
2006243436.tif 000012
【図１１】
2006243436.tif 000013
【図１２】
2006243436.tif 000014
【図１３】
2006243436.tif 000015
【図１４】
2006243436.tif 000016
【図１５】
2006243436.tif 000017
【図１６】
2006243436.tif 000018
【図１７】
2006243436.tif 000019
【図１８】
2006243436.tif 000020
【図１９】
2006243436.tif 000021
【図２０】
2006243436.tif 000022